(57)【要約】３次元オブジェクトを一層毎に、生成的に製造する装置と方法が開示される。数個のオブジェクトは、構築材料層（２５）を連続的に付着させることにより、異なったプロセス室（１１、１２、１３、１４）において並行して製造され、次いで、前回付着した層に別の層を放射線によって凝固或いは固着させる。前記放射線は、層が他方のプロセス室にて付着する間、プロセス室の外側で準備される放射線源（２１）により一方のプロセス室に供給される。
2006500241.tif 000002
【特許請求の範囲】
【請求項１】
各層におけるオブジェクトの断面に対応する各位置に電磁又は粒子放射線を作用させることによって、３次元オブジェクトを層方向へ生成的に製造する装置であって、
製造されるオブジェクトのために互いに分離された少なくとも２つの構築域（１１、１２）と、
電磁又は粒子放射線を放射する放射線源（２１）とを含み、
一つの構築域が一度に照射されるように構築域間の放射線をスイッチするスイッチ装置（２２、２２２ａ、２２２ｂ）であり、該スイッチ装置（２２、２２２ａ、２２２ｂ）はスイッチ可能な光学エレメント又はビームスイッチを含むことを特徴とする装置。
【請求項２】
該構築域は、別個のプロセス室（１１、１２）にて提供されることを特徴とする請求項１に記載された装置。
【請求項３】
光ファイバーは、放射線を入力し出力するために該スイッチ装置（２２、２２２ａ、２２２ｂ）に接続されることを特徴とする請求項１又は２に記載された装置。
【請求項４】
制御装置は、一つの構築域（１１）にて放射線源に関与せずにプロセス段階が進行する間、他の構築域（１２）においては放射線源に関与してプロセス段階が進行するように、該スイッチ装置を制御することを特徴とする請求項１から３のいずれかに記載された装置。
【請求項５】
該スイッチ装置（２２、２２２ａ、２２２ｂ）のための制御装置は、一つの構築域（１１）にて層の凝固中に、他の構築域（１２）において層の付着、搬入、又は搬出等、他のプロセス処置が行われるように、形成されることを特徴とする請求項１から４のいずれかに記載された装置。
【請求項６】
分離されたプロセス室及び／又は多数のプロセス室の部分域に指定される２個以上の構築域（１１、１２、１３、１４）が、提供されることを特徴とする請求項１から５のいずれかに記載された装置。
【請求項７】
多数のプロセス室による構築域間で放射線をスイッチする、少なくとも１個以上の更なるスイッチ装置（２２２ａ、２２２ｂ）が、提供されることを特徴とする請求項６に記載された装置。
【請求項８】
少なくとも１個のプロセス室は、密閉されて不通気性に形成されることを特徴とする請求項２から７のいずれかに記載された装置。
【請求項９】
該プロセス室は、加熱或いは冷却装置より成ることを特徴とする請求項２から８のいずれかに記載された装置。
【請求項１０】
該放射線源は、レーザーにて形成されることを特徴とする請求項１から９のいずれかに記載された装置。
【請求項１１】
該放射線源は、バインダー材料の粒子ビームを発生する源であるように形成されることを特徴とする請求項１から９のいずれかに記載された装置。
【請求項１２】
各層におけるオブジェクトの断面に対応する各位置に電磁又は粒子放射線を作動することによって、３次元オブジェクトを層方向へ生成的に製造する方法であって、一つの構築域（１１）にて放射線源に関与せずに進行するプロセス処置中に、他の構築域（１２）において放射線源に関与するプロセス処置が行われ、該放射線は、スイッチ可能な光学エレメント及び／又はビームスイッチより成るスイッチ装置を用いて構築域間にてスイッチされることを特徴とする方法。
【請求項１３】
放射線に関与する該プロセス処置は、放射線を用いて構築材料の層を凝固する処置であることを特徴とする請求項１２に記載された方法。
【請求項１４】
放射線に関与しない該プロセス処置は、層の付着、構築域からの完成オブジェクトの搬出或いは新しい構築作業への準備作動を包含することを特徴とする請求項１２又は１３に記載された方法。
【請求項１５】
該オブジェクトは、複数のプロセス室（１１、１２、１３、１４）中にて製造されることを特徴とする請求項１２から１４のいずれかに記載された方法。
【請求項１６】
該プロセス室数が２個のグループに分割され、一方のグループ中のプロセス室中において完成オブジェクトが該プロセス室より搬出され、及び／又はプロセス室が製造作業のために準備され、他方のグループ中の一部のプロセス室においては照射が行われ、又他のプロセス室においては放射源に関与せずに作業が行われることを特徴とする請求項１５に記載された方法。
【請求項１７】
一方のグループのプロセス室において製造するための準備が完了した後、このグループの一部のプロセス室において照射が行われ、そして同時にこのグループの他のプロセス室においては層を準備するプロセス処置が行われ、しかるに他方のグループのプロセス室においては完成オブジェクトがプロセス室より搬出され或いはプロセス室が製造作業のために準備されることを特徴とする請求項１６に記載された方法。
【請求項１８】
放射線の入力及び出力は、該スイッチ装置中の光ファイバーを用いて遂行されることを特徴とする請求項１２から１７のいずれかに記載された方法。
【発明の詳細な説明】
【技術分野】
【０００１】
本発明は、請求項１と１３の序文にしたがう三次元オブジェクトを製造する装置及び方法に関する。
【背景技術】
【０００２】
生成的な製造方法、例えば粉末焼結積層造形法、選択的レーザー溶解法、立体描画法又は三次元印刷等において、三次元オブジェクトは、オブジェクトの断面に対応する位置に構築材料の層を付着し、又選択的な凝固により互いに連結させることによって、層方向に製造される。
【０００３】
この種の方法及びこの種の装置は知られており、例えば欧州特許出願公開番号第０７３４８４２号（特許文献１）には微粉状構築材料の粉末焼結積層造形法が述べられている。該欧州特許公開番号第０７３４８４２号において、微粉状材料による第一層は沈降可能なキャリヤー上に付着し、オブジェクトに対応する位置にて該材料が共に焼結されるようにレーザー照射される。しかる後、該キャリヤーは沈降し第二層が第一層上に付着し、再度選択的に焼結されそれによって第一層に互いに連結される。このようにして該オブジェクトは、層方向に形成される。新しい層への付着中、照射は行われない。このようにしてレーザー焼結装置の最もコストに集中される要素の一つであるレーザーは、経済面で最適には使用されず、該装置の生産性は照射という妨害によって低下する。さらに、該方法による加熱、冷却又他の方法手順による時間の損失が起こりうる。さらに又、これら加熱、冷却又他の方法手順が構築スペースに取り付けられるならば、そういった装置中に並行して多数のオブジェクトを構築することが知られている。
【０００４】
もし構築スペースに取り付けられる数量以上のオブジェクトが、同時に製造されるならば、これは主としてそういった複数の装置を並行作動すること可能であるが、これは高い投資コストに繋がる。
【０００５】
【特許文献１】欧州特許出願公開番号第０７３４８４２号
【発明の開示】
【発明が解決しようとする課題】
【０００６】
したがって、本発明の目的は、三次元オブジェクトの層方向生成的製造において、生産性と経済効率が経済的方法によって増大可能となる、装置と方法を提供することである。
【課題を解決するための手段】
【０００７】
本発明の該目的は、請求項１による装置と請求項１３による方法によって達成される。
【０００８】
本発明のさらなる展開は、付随する請求項にて明示される。
【０００９】
さらに本発明の特長と利点は、図面に関連する実施例の記載からもたらされるであろう。
【発明を実施するための最良の形態】
【００１０】
以下、実施例に基づいて説明する。
【実施例１】
【００１１】
図１は、本発明の実施例１によるレーザー焼結装置の断面図を示し、該装置は電磁放射線を用いて凝固可能な構築材料から三次元オブジェクトを層方向に製造する装置の例として示されている。該装値は２個のプロセス室１１と１２より成り、該各プロセス室にてオブジェクトは製造される。該オブジェクトは、空間的に互いに分離された２個のプロセス室によって提供され、或いは各部が分離されたプロセス室を形成する双子室によって提供されてもよい。各プロセス室は、壁面１６と構築台４を持つ構築容器６より成る。構築台４は垂直駆動装置１５に連結し、該垂直駆動装置１５は構築容器６に相対して構築台４が上下垂直方向に滑動することを可能にする。
【００１２】
構築台４上で用いられる焼結粉末を付着させるための材料付加装置７が、構築容器６の上方に配置されている。電磁放射線、特にレーザー放射線の方向性ビームを、付着させる層の如何なる位置に向けること可能な偏向ユニット１０は、材料付加装置７の上方に配置されている。この偏向ユニット１０は、ｘｙ−スキャナー或いはプロッターであることが好ましい。
【００１３】
図１に示すとおり、レーザー型放射源２１はプロセス室１１と１２の外側に配置されている。放射されたレーザービームは、スイッチ装置２２を介して一方のプロセス室１１或いは他方のプロセス室１２に供給される。放射線源２１がファイバー伝送に適した特性を持つレーザー、例えばＮｄＹＡＧ（Neodymium-doped Yttrium-Aluminum Garnet）レーザーである場合は、スイッチ装置２２はビームスイッチにて形成される。これを達成するために、該レーザービームは光伝導ファイバーを介して、或いは光伝導ケーブルを介してビームスイッチに供給され、該レーザービームは、選択的に接続可能な光伝導ファイバーを介して、或いは光伝導ケーブルを介して個々のプロセス室に伝送される。このようにして該プロセス室は、光伝導ファイバーを介して、或いは光伝導ケーブルを介して該レーザーにそれぞれ固定的に接続される。しかし、該スイッチ装置２２は、又スイッチ可能な光学エレメント、特に鏡にて形成されてもよく、レーザービームは自由に伝播される。さらに、図１は、非凝固粉末２５によって取り囲まれた構築オブジェクト２４を示す。
【００１４】
変形例として、例えば制御可能光学エレメント型のビーム分割装置が提供され、該ビーム分割装置は放射線源からのビームを分割可能にし、同時に両方のプロセス室にビームを供給可能とする。
【００１５】
実施例１による該装置は、２個の別個のプロセス室に対し１個の放射線源の使用を可能にし、該一個の放射線源は多数の部品点数の多い生産時に多くの利点をもたらす。
【００１６】
もし全てのプロセス室に独自の放射線源が設けられないならば、これはプロセス室数の増加があっても元金支出の著しい低減をもたらす。
【００１７】
放射線源とプロセス室の分離は、プロセス室の設計において安全性への支出低減を可能にする。
【００１８】
プロセス室に必要な空間は、放射線源とプロセス室の分離により狭くなる。
【００１９】
作動時には、両プロセス室１１と１２において、オブジェクトは同時に製造される。これを実行する場合、レーザー２１は、２個のプロセス室１１と１２の各々に交互に接続される。特に、前回付着した層は一方のプロセス室にて照射され、又同時に他方のプロセス室中においては新しい層が、以前選択的に照射された層上に付着し、結局は例えば予熱という、照射に対し準備されることになる。
【００２０】
該方法は、従来方法に比し、放射線源をより効果的に使用することを可能にする。放射線源の能力利用度は著しく上昇し、何故ならば他方の構築容器中において層の付着時間中に、一方の構築容器中において照射が行われるからである。
【実施例２】
【００２１】
実施例２による装置は、単一の放射線源が４個のプロセス室に指定されるという点において、実施例１の一つと異なっている。これらは、空間分離型の個々のプロセス室型にて、或いは２個の双子プロセス室の一部として、或いは４分割プロセス室型にて提供されてもよい。
【００２２】
図２は、本発明の実施例２による装置を略図的に示す。図２に見られるとおり、レーザー２１はスイッチ装置２２４を介してプロセス室１１、１２、１３、１４の中の１室に接続可能である。或いは図３に示されるとおり、それぞれ２個のプロセス室へ、スイッチ装置２２２ａと２２２ｂは、その入力が次いで放射線源２１に連結されるスイッチ装置２２の出力に接続されるよう、指定されてもよい。
【００２３】
図４は、本発明の実施例２による方法のフローチャートを示す。図４の上半に示されるとおり、構築作業はプロセス室１１と１２において同時に行われる。これを達成するために図３による構成において、該スイッチ装置２２は放射線をスイッチ装置２２２ａに供給し、該スイッチ装置２２２ａはプロセス室１１と１２へと指定されている。次いでスイッチ装置２２２ａは、放射線を２個のプロセス室１１と１２それぞれに、交互に供給する。特に、前回付着或いは準備された層は、一方のプロセス室中にて照射され、しかるに他方のプロセス室にて、選択的に以前照射された層上に新しい層が同時に準備される。プロセス室１１と１２両方において構築作業が行われる間に、他方の２個のプロセス室１３と１４中の完全に構築されたオブジェクトは該プロセス室より取り出され、該プロセス室にて新しい構築作業が準備される。
【００２４】
図４の下半に示されるとおり、新しい構築作業は、プロセス室１１と１２中にての構築作業の完了後プロセス室１３と１４中にて遂行され、しかるに両方のプロセス室１１と１２両方において完全に構築されたオブジェクトはプロセス室より取り出され、新しい構築作業が準備される。これを完遂するために図４による構成において、該スイッチ装置２２は、プロセス室１３と１４に指定されたスイッチ装置２２２ｂに放射線を供給する。次いで、スイッチ装置２２２ｂは、プロセス室１３と１４それぞれに、交互に放射線を供給する。特に、前回付着された層は、一方のプロセス室中にて照射され、しかるに他方のプロセス室にて新しい層が以前選択的に照射された層上に同時に付着される。
【００２５】
実施例１のとおり、スイッチ装置２２、２２２ａ及び２２２ｂはそれぞれ、例えばスイッチ可能な光学エレメント或いはビームスイッチであるよう合体されている。後者の場合、光伝導ファイバー又は光伝導ケーブルを介して固定された接続が、一方ではビームスイッチ２２とレーザー２１の間に、他方ではビームスイッチ２２とそれぞれビームスイッチ２２２ａと２２２ｂの間に、存在している。
【００２６】
更なる修正形態において、４個以上のプロセス室とそれに対応するスイッチ装置が提供される。
【００２７】
上述された両方の実施例はさらに、互いに異なった粉末材料が異なったプロセス室にて使用可能であるという利点を持つ。更に二つのバッチが直接連続して製造可能である。
【００２８】
本発明は粉末焼結積層造形法と選択的レーザー溶解法、それぞれに適用されることが好ましく、粉末は凝固材料として使用される。しかし、これに限定される丈ではなく、立体描画法からも知られる液状光硬化性樹脂、或いはバインダー又はバインダーシステムの反応を使用しての粉末材料の凝固をも包含する。この場合、ビームは構築材料の粉末粒子を相互に連結する一つ或いはそれ以上の成分の粒子より成る。
【００２９】
実施例に述べられたプロセス室数の他に、プロセス室又は構築部の如何なる任意の数量と、放射線源数と対応するプロセス室又は構築部数の如何なる組み合わせが提供されてもよい。異なった材料、温度、圧力又は環境雰囲気等異なったプロセス条件、或いはレーザーパワー等の異なったパラメーターがプロセス室において使用されてもよい。
【図面の簡単な説明】
【００３０】
【図１】本発明の実施例１による装置の略側面図である。
【図２】本発明の実施例２による装置の略図である。
【図３】本発明の実施例２の変更形態による装置の略図である。
【図４】本発明の実施例２による作業流れ工程の略図である。
【符号の説明】
【００３１】
４      構築台
６      構築容器
７      材料適用装置
１０      偏向ユニット
１１      プロセス室
１２      プロセス室
１３      プロセス室
１４      プロセス室
１５      垂直駆動装置
１６      壁面
２１      放射線源
２２      スイッチ装置
２２２ａ    ビームスイッチ
２２２ｂ    ビームスイッチ
２２４      スイッチ装置
２４      組み立てオブジェクト
２５      凝固粉末
【図１】
2006500241.tif 000003
【図２】
2006500241.tif 000004
【図３】
2006500241.tif 000005
【図４】
2006500241.tif 000006
【国際調査報告】
2006500241.tif 000007
2006500241.tif 000008
2006500241.tif 000009
2006500241.tif 000010
2006500241.tif 000011
2006500241.tif 000012